(57)【要約】【課題】  ヒンジのような物品をボルト、ナットを用いずに、より簡単に所要部材へ固定できる固定構造を提供する。【解決手段】  合成樹脂製のヒンジ装置１の翼部材２は、スタッド挿通孔４を有する。スタッド挿通孔４の裏側から直角にスタッド挿通部５が突出する。スタッド挿通部５は、ほぼ筒状で、部材Ａに予め形成された円形取付孔２１に挿通でき、内部に挿通空間５ａを有する。挿通空間５ａはスタッド挿通孔４に連通する。スタッド挿通部５は、スリット５ｂにより分断された複数の拡開フラップ部５ｃと、スタッド３を受け入れた状態で当該スタッド３とスナップ係合してこれを抜け止めするスナップ係合部５ｅとを具備する。スタッド３は、スタッド挿通部５へ挿通されることによって、拡開フラップ部５ｃを拡開させ、スタッド挿通部５を円形取付孔２１から抜け止めし、ヒンジ装置１を部材Ａへ固定する。【選択図】図３
2009019735.tif 000002
【特許請求の範囲】
【請求項１】
表面と、円形取付孔を有するの板状の取付部位へ密着される反対側の裏面と、円形取付孔に合致して表面と裏面間に貫通するスタッド挿通孔とをそれぞれ有する弾性合成樹脂製の物品本体と、
前記円形取付孔に挿通されるように前記物品本体の裏面側からこれと一体に直角に突出し、前記スタッド挿通孔に連通する挿通空間を内部に有するほぼ筒状のスタッド挿通部と、
前記スタッド挿通孔を通して前記スタッド挿通部の挿通空間へ挿入されることにより前記物品本体を前記取付部位へ固着するスタッドとを具備し、
前記スタッド挿通部は、軸方向の少なくとも２つのスリットにより分断された複数の拡開フラップ部と、前記挿通空間に前記スタッドを受け入れた状態で当該スタッドとスナップ係合してこれを抜け止めするスナップ係合部とを具備し、
前記スタッドは、前記スタッド挿通部の挿通空間へ挿通されることによって、前記拡開フラップ部を拡開させ、前記スタッド挿通部を前記円形取付孔から抜け止めして取付部位へ固定することを特徴とする物品の固定構造。
【請求項２】
表面と、複数の円形取付孔を有するの板状の取付部位を具備する枠体又は扉のような所要部材の当該取付部位へ密着される反対側の裏面と、円形取付孔に合致して表面と裏面の間に貫通するスタッド挿通孔とをそれぞれ有し、互いに枢着された一対の弾性合成樹脂製の翼部材と、
前記円形取付孔に挿通されるように前記各翼部材の裏面側からこれと一体に直角に突出し、前記スタッド挿通孔に連通する挿通空間を内部に有するほぼ筒状のスタッド挿通部と、
前記翼部材のスタッド挿通孔を通して前記スタッド挿通部の挿通空間へ挿入されることにより翼部材を前記所要部材の取付部位へ固着する複数のスタッドとを具備し、
前記スタッド挿通部は、軸方向の少なくとも２つのスリットにより分断された複数の拡開フラップ部と、前記挿通空間に前記スタッドを受け入れた状態で当該スタッドとスナップ係合してこれを抜け止めするスナップ係合部とを具備し、
前記スタッドは、前記スタッド挿通部へ挿通されることによって、前記拡開フラップ部を拡開させ、前記スタッド挿通部を前記円形取付孔から抜け止めして前記翼部材を前記所要部材に固定することを特徴とするヒンジ装置。
【請求項３】
前記スタッド挿通部の挿通空間を囲む内周壁は、内径が先細りとなるテーパ部と、このテーパ部の先端部付近において内径が拡大することにより形成されるスナップ係合部とを具備し、
前記スタッドは、大径の頭部と、頭部より小径で前記翼部材のスタッド挿通孔を通して前記スタッド挿通部材の挿通空間へ挿入される軸部とを具備し、
前記スタッドの軸部は、前記スタッドが挿通部材のスタッド挿通空間へ挿通されたときに内周壁を押圧して前記拡開フラップ部を拡開させる押圧部と、スタッド挿通空間への挿通状態で前記スナップ係合部に係合する係合部とを具備することを特徴とする請求項２に記載のヒンジ装置。
【請求項４】
前記翼部材のスタッド挿通孔は、翼部材の表面側に、前記スタッドの頭部を受け入れる大径孔部を有することを特徴とする請求項２又は３に記載のヒンジ装置。
【発明の詳細な説明】
【技術分野】
【０００１】
この発明は、ヒンジのような物品を枠体や扉へ固定する構造およびこれを適用したヒンジ装置に関する。
【背景技術】
【０００２】
例えばスチール製の筐体やその扉においてヒンジを取り付ける部位は、板状部材で構成されることが多い。例えば、ヒンジの翼板はボルト孔を有し、このボルト孔を扉又は枠体の取付部位に予め形成された円形取付孔に合致させ、ボルトを挿通して、取付部位の裏側からナットで締め付けて取り付けられる（例えば特許文献１参照）。ヒンジに限らず、一般に、取付用のボルト孔を有する取手その他の物品も、同様の部位にボルト、ナットで取り付けられる。
【特許文献１】特開２０００−２８３１４４号公報
【発明の開示】
【発明が解決しようとする課題】
【０００３】
上記従来のヒンジにおいては、所要部材への取り付けに当たって、ボルト、ナットの締め付け作業に比較的大きな手間を要するし、取り付け部位の裏側が閉じていてナットを挿入できない場合には取り付けが不可能となるため、所要部材の組み立て工程における当該部材へのヒンジの取付時期、あるいは取付位置に制限を受けるという問題点がある。
したがって、この出願に係る発明は、従来ボルト、ナットにより締め付けて所要部材へ固定しているヒンジのような物品を、ボルト、ナットを用いずに、これを用いる場合より簡単に、所要部材へ固定することができ、また取り付け部位の裏側が閉じていてナットを挿入できない部材にも容易に固定することができる固定構造と、これを適用したヒンジ装置を提供することを課題としている。
【課題を解決するための手段】
【０００４】
上記課題を解決するため、この出願に係る発明においては、合成樹脂製のヒンジのような物品にスタッド挿通孔４を設けると共に、このスタッド挿通孔４の裏側部位から当該物品と一体に直角に突出するようにスタッド挿通部５を設け、このスタッド挿通部５にスタッド３を挿通することにより、物品を所要部材Ａへ固定する構造を採用する。スタッド挿通部５は、ほぼ筒状で、部材Ａの取付部位に予め形成された円形取付孔２１に挿通できるように物品から突出し、内部にはスタッド挿通孔４に連通する挿通空間５ａを有する。またスタッド挿通部５は、軸方向のスリット５ｂにより分断された複数の拡開フラップ部５ｃと、スタッド３を受け入れた状態で当該スタッド３とスナップ係合してこれを抜け止めするスナップ係合部５ｅとを具備する。スタッド３は、スタッド挿通部２へ挿通されることによって、拡開フラップ部５ｃを拡開させ、スタッド挿通部５を円形取付孔２１から抜け止めして部材Ａへヒンジのような物品を固定する。
【発明の効果】
【０００５】
この出願に係る発明の固定構造によれば、ヒンジ装置１のような物品の裏側へ一体に突出したスタッド挿通部５を扉のような所要部材Ａの円形取付孔２１へ挿入した状態で、表側からスタッド３を当該スタッド挿通部５へ挿通するだけで、当該物品を部材Ａへ固定することができる。物品を固定しようとする取付部位の裏側が閉じていてナットを挿入できないような場合にも、表側からの作業のみで簡単に部材Ａへ物品を固定することができる。
以上、添付図面の符号を参照して説明したが、本発明はこれに限定されるものではない。
【発明を実施するための最良の形態】
【０００６】
図面を参照してこの発明の実施の形態を説明する。図１は本発明に係るヒンジ装置を表側から見た斜視図、図２は図１に示すヒンジ装置を裏側から見た斜視図、図３、図４は、本発明に係るヒンジ装置の断面図で、それぞれ所要部材への固定前の状態と固定後の状態を示す。
【０００７】
図はこの発明に係る物品の固定構造をヒンジ装置１に適用した実施形態を示す。したがって、この固定構造を適用する物品は、図示のヒンジ装置１に限定されるものではない。
【０００８】
ヒンジ装置１は、互いに蝶着された一対の翼部材２，２とスタッド３とを具備する。図３，４に示すように、扉やそれを取り付ける枠体のような所要部材Ａの板状の取付部位には、予め複数の円形取付孔２１が形成される。
【０００９】
翼部材２は、弾性合成樹脂で一体成形されたもので、表面２ａと、その反対側の裏面２ｂとを有し、裏面２ｂが部材Ａの取付部位へ密着される。翼部材２は、円形取付孔２１に合致して表面２ａと裏面２ｂとの間に貫通する挿通孔４をそれぞれ有する。挿通孔４は、翼部材の表面２ａ側に、スタッド４の頭部３ａを受け入れる大径部４ａと、軸部３ｂを挿通させる小径部４ｂとを有し、両者間に段部４ｃが形成される。
【００１０】
スタッド３は、大径の頭部３ａと、これより小径の軸部３ｂとを有する。軸部３ｂは、円柱状の押圧部３ｃと、その先端部に形成された係合部３ｄとを具備する。係合部３ｄは、軸部３ｂに対して段部を形成して拡大している。
【００１１】
スタッド挿通部５は、ほぼ円筒状で、各翼部材２の裏面２ｂ側からこれと一体に直角に突出している。スタッド挿通部５は、挿通孔４に連通する挿通空間５ａを内部に有する。スタッド挿通部５は、軸方向の４つのスリット５ｂにより４つに分断された拡開フラップ部５ｃを具備する。挿通空間５ａを囲む内周壁は、内径が先細りとなるテーパ部５ｄと、このテーパ部の先端部付近において内径が拡大することにより形成されるスナップ係合部５ｅとを具備する。スナップ係合部５ｅは、挿通空間５ａにスタッド３を受け入れた状態で、当該スタッド３とスナップ係合してこれを抜け止めする。
【００１２】
スタッド３は、スタッド挿通部５の挿通空間５ａへ挿通されると、その押圧部３ｃが挿通空間５ａの内周壁のテーパ部５ｄを押圧して拡開フラップ部５ｃを弾性的に拡開させ、スタッド挿通部５を円形取付孔２１から抜け止めすることにより、翼部材２を部材Ａに固定する。
【００１３】
このヒンジ装置１は、裏側へ一体に突出したスタッド挿通部５を扉やこれを取り付ける枠体のような所要部材Ａの円形取付孔２１へ挿入した図３の状態で、表側からスタッド３をスタッド挿通部５へ挿通するだけで、部材Ａへ固定することができる。
【００１４】
すなわち、スタッド挿通部５は、常態において円形取付孔２１へ自由に挿入できる外径を有するが、スタッド３が挿入されてフラップ部５ｃが拡開されると先端側に向かって外径が徐々に拡大し、円形取付孔２１に対して抜け止めされる。
【００１５】
ヒンジ装置１を固定しようとする取付部位の裏側が閉じていてナットを挿入することができないような場合にも、スタッド挿通部５を円形取付孔２１へ挿入し、さらにスタッド３をスタッド挿通部５へ挿入する表側からの極めて単純な作業のみで簡単に所要部材へヒンジ装置１を取り付けることができる。
【００１６】
上記したスタッド３とスタッド挿通部５とによるヒンジ装置１の固定構造は、ヒンジ以外の物品の固定構造に適用できることが容易に理解される。
【図面の簡単な説明】
【００１７】
【図１】本発明に係るヒンジ装置を表側から見た斜視図である。
【図２】図１に示すヒンジ装置を裏側から見た斜視図である。
【図３】本発明に係るヒンジ装置の断面図で、所要部材への固定前の状態を示す。
【図４】本発明に係るヒンジ装置の断面図で、所要部材への固定後の状態を示す。
【符号の説明】
【００１８】
１      ヒンジ装置、
２      翼部材
２ａ    表面
２ｂ    裏面
３      スタッド
３ａ    頭部
３ｂ    軸部
３ｃ    押圧部
３ｄ    係合部
４      挿通孔
４ａ    大径部
４ｂ    小径部
４ｃ    段部
５      スタッド挿通部
５ａ    挿通空間
５ｂ    スリット
５ｃ    拡開フラップ
５ｄ    テーパ部
５ｅ    スナップ係合部
Ａ      所要部材（扉、枠体）
２１    円形取付孔
【図１】
2009019735.tif 000003
【図２】
2009019735.tif 000004
【図３】
2009019735.tif 000005
【図４】
2009019735.tif 000006